(57)【要約】【課題】屋外に生息するゴキブリなどの匍匐害虫を駆除することのできる長期間屋外で使用可能な毒餌剤収納容器を提供する。【解決手段】底板部２０と、底板部２０と結合可能な蓋部１０とを有する屋外用毒餌剤収納容器３０であって、蓋部１０は天井部１０Ｔと側壁部１０Ｓとを有し、天井部１０Ｔの裏側（前記底板部に面する側）に毒餌剤収納部１０Ｈが形成され、側壁部１０Ｓに出入り口３０Ｄのための開口１０Ｄが形成され、出入り口３０Ｄと毒餌剤収納部１０Ｈの真下との間の底板部２０に土手状物２０Ｄが全周に形成され、土手状物２０Ｄの外側の底板部２０に水抜き孔２０Ｈが形成されている。【選択図】図７
2014113134.tif 000002
【特許請求の範囲】
【請求項１】
底板部と、前記底板部と結合可能な蓋部とを有する屋外用毒餌剤収納容器であって、
前記蓋部は天井部と側壁部とを有し、
前記天井部の裏側に毒餌剤収納部が形成され、
前記側壁部に出入り口用の開口が形成され、
前記底板部上で前記毒餌剤収納部の下方に、前記毒餌剤収納部の毒餌剤を収納する範囲より大きい範囲を囲う土手状物が全周に亘って形成され、
かつ、前記土手状物の外側の前記底板部に水抜き孔が貫通形成されたことを特徴とする屋外用毒餌剤収納容器。
【請求項２】
前記毒餌剤収納部は、複数本の毒餌剤収納支柱が前記天井部から下方に垂設されて成り、前記複数本の毒餌剤収納支柱の間に固形状又は半固形状の毒餌を間に挟み込むことを特徴とする請求項１記載の屋外用毒餌剤収納容器。
【請求項３】
前記底板部に毒餌剤支持支柱が立設され、前記複数本の毒餌剤収納支柱の間に挟み込まれた固形状又は半固形状の毒餌を前記毒餌剤支持支柱が下方から支持することを特徴とする請求項２記載の屋外用毒餌剤収納容器。
【請求項４】
前記側壁部が、前記蓋部に代えて、前記底板部に設けられたことを特徴とする請求項１〜３のいずれか１項記載の屋外用毒餌剤収納容器。
【発明の詳細な説明】
【技術分野】
【０００１】
本発明は、屋外に生息するゴキブリなどの匍匐害虫に毒餌を食べさせるために害虫を誘い込む毒餌剤収納容器に関し、特に、屋外で長期使用可能な屋外用毒餌剤収納容器に関する。
【背景技術】
【０００２】
ゴキブリの一般的な駆除方法として、誘引物質を含む捕獲器を使用する方法が従来より知られている。
またホウ酸やヒドラメチルノンなどの毒餌剤をゴキブリが好む餌に混ぜたものを容器に入れて駆除する毒餌剤容器も知られている（特許文献１、２参照）。
しかし、これらの捕獲器や毒餌剤容器は室内に配置するものであり、室内に生息するゴキブリしか退治することができず、また屋外での使用には適さないという欠点があった。
【先行技術文献】
【特許文献】
【０００３】
【特許文献１】特開平１０−３１３７６０号公報
【特許文献２】特開平９−１９１８０７号公報
【発明の概要】
【発明が解決しようとする課題】
【０００４】
本発明は、上記欠点を解決するためになされたもので、屋外に生息するゴキブリなどの匍匐害虫を駆除することのできる長期間屋外で使用可能な毒餌剤収納容器を提供することを目的としている。
【課題を解決するための手段】
【０００５】
上記課題を解決するため、屋外用毒餌剤収納容器の発明（１）〜（４）は次のことを特徴としている。
（１）  底板部と、前記底板部と結合可能な蓋部とを有する屋外用毒餌剤収納容器であって、前記蓋部は天井部と側壁部とを有し、前記天井部の裏側に毒餌剤収納部が形成され、前記側壁部に出入り口用の開口が形成され、前記底板部上で前記毒餌剤収納部の下方に、前記毒餌剤収納部の毒餌剤を収納する範囲より大きい範囲を囲う土手状物が全周に亘って形成され、かつ、前記土手状物の外側の前記底板部に水抜き孔が貫通形成されたこと。
（２）  前記屋外用毒餌剤収納容器の発明（１）において、前記毒餌剤収納部は、複数本の毒餌剤収納支柱が前記天井部から下方に垂設されて成り、前記複数本の毒餌剤収納支柱の間に固形状又は半固形状の毒餌を間に挟み込むこと。
（３）  前記屋外用毒餌剤収納容器の発明（２）において、前記底板部に毒餌剤支持支柱が立設され、前記複数本の毒餌剤収納支柱の間に挟み込まれた固形状又は半固形状の毒餌を前記毒餌剤支持支柱が下方から支持すること。
（４）  前記屋外用毒餌剤収納容器の発明（１）〜（３）のいずれかにおいて、前記側壁部が、前記蓋部に代えて、前記底板部に設けられたこと。
【発明の効果】
【０００６】
上記発明（１）によれば、天井部に毒餌剤が収納されるので、容器内に雨水が入っても毒餌剤が雨水に水没することがなく、長期間屋外で使用可能となる。
また、底板部に土手状物が全周に形成されているので、ゴキブリなどが食べ損なった毒餌剤のくずは土手状物の内側に落下し、毒餌剤が容器外に拡散することがない。
また、雨水が容器内に入っても土手状物で雨水の浸入が阻止され、ゴキブリなどが食べ損なった毒餌剤のくずが水に濡れることがなく、黴の発生を抑え、衛生的である。
上記発明（２）によれば、複数本の毒餌剤収納支柱が前記天井部から下方に垂設された構造の毒餌剤収納部であるので、固形状又は半固状の毒餌剤を複数本の毒餌剤収納支柱の間に挟み込むだけで良いので収納し易すく、生産性が向上する。
上記発明（３）によれば、底板部に毒餌剤支持支柱が立設されているので、複数本の毒餌剤収納支柱の間に挟み込まれた固形状又は半固形状の毒餌剤を毒餌剤支持支柱が下方から支持することとなり、毒餌剤が自然落下し難くくなる。
上記発明（４）によれば、側壁部が底板部に設けられて蓋部にはないのでので、天井部に毒餌剤を収納する作業性が良くなり、生産性が向上する。
【図面の簡単な説明】
【０００７】
【図１】図１（Ａ）は本発明の実施形態１に係る毒餌剤収納容器を構成する蓋部の外側の斜視図であり、図１（Ｂ）は図１（Ａ）の蓋部をひっくり返したときの蓋部の内側の斜視図である。
【図２】図２（Ａ）は本発明の実施形態１に係る毒餌剤収納容器を構成する底板部の外側の斜視図であり、図２（Ｂ）は図２（Ａ）の底板部をひっくり返したときの底板部の内側の斜視図である。
【図３】図３は本発明の実施形態１に係る毒餌剤収納容器を分解して上側から見た斜視図で、図３（Ａ）は蓋部、図３（Ｂ）は底板部、図３（Ｃ）は図３（Ａ）の蓋部と図３（Ｂ）の底板部を結合させて成る毒餌剤収納容器である。
【図４】図４は図３（Ｃ）の毒餌剤収納容器を裏返しにした状態で分解して上側から見た斜視図で、図４（Ａ）は底板部、図４（Ｂ）は蓋部、図４（Ｃ）は図４（Ａ）の底板部と図４（Ｂ）の蓋部を結合させて成る毒餌剤収納容器である。
【図５】図５は毒餌剤を収納した状態の蓋部の裏側の斜視図である。
【図６】図６は本発明の実施形態２に係る毒餌剤収納容器で、図６（Ａ）は底板部の斜視図、図６（Ｂ）は毒餌剤支持支柱を通る縦断面図である。
【図７】図７（Ａ）は本発明の実施形態２に係る毒餌剤収納容器の平面図、図７（Ｂ）は図７（Ａ）のＡ−Ａ矢視断面図、図７（Ｃ）は図７（Ａ）のＤ−Ｄ矢視断面図である。
【図８】図８（Ａ）は図７（Ａ）のＢ−Ｂ矢視断面図、図８（Ｂ）は図７（Ａ）のＣ−Ｃ矢視断面図、図８（Ｃ）は図８（Ｂ）の楕円部Ｃの拡大図である。
【発明を実施するための形態】
【０００８】
長期間屋外で使用して、屋外に生息するゴキブリなどの匍匐害虫を駆除することのできる本発明に係る屋外用毒餌剤収納容器について、その実施形態１および実施形態２を説明する。
【０００９】
〈本発明の実施形態１に係る屋外用毒餌剤収納容器〉  
図１〜図５は本発明の実施形態１に係る屋外用毒餌剤収納容器（以下、単に「容器」という。）の図面である。
実施形態１に係る屋外用毒餌剤容器３０（図３（Ｃ））はプラスチック成型されて成るもので、大きく、蓋部１０（図３（Ａ））と底板部２０（図３（Ｂ））とから構成される。以下に、これらの蓋部１０と底板部２０について説明する。
【００１０】
〈蓋部１０〉  
蓋部１０を図１に基づいて説明する。
図１（Ａ）は本発明の実施形態１に係る毒餌剤収納容器を構成する蓋部の外側の斜視図であり、図１（Ｂ）は図１（Ａ）の蓋部をひっくり返したときの蓋部の内側の斜視図である。
蓋部１０は底板部２０（図２）の上に被せられるプラスチック成型部材で、矩形状をした天井部１０Ｔと、天井部１０Ｔの端部から下方に延設する側壁部１０Ｓとから構成される。
【００１１】
〈天井部１０Ｔ〉  
天井部１０Ｔの表側には、（１）矢先マーク１０Ｍが形成されている。
また、天井部１０Ｔの裏側には、（１）毒餌剤収納部１０Ｈと（２）係合ピン１０Ｐが立設されている。
【００１２】
《天井部１０Ｔの表側（図１（Ａ））》
天井部１０Ｔは上に滴下した雨水が流れ落ちるように中央部がやや凸となる緩やかな湾曲面の平面視で矩形状をしている。
そして、天井部１０Ｔの表側には、ゴキブリなどの出入り口方向を凸部（又は凹部）で示した矢先マーク１０Ｍが形成されている。したがって、使用者は矢先マーク１０Ｍを見て、ゴキブリなどの通る方向に両矢先マーク１０Ｍの矢先を向けて容器を配置するだけでよい（容器を持ち上げて出入り口がどの面にあるのかをいちいち確認する必要がない。）。
【００１３】
《天井部１０Ｔの裏側（図１（Ｂ））》
天井部１０Ｔの裏側（内側）の中央近傍には、毒餌剤を収納部するための毒餌剤収納部１０Ｈが設けられている。毒餌剤収納部１０Ｈは、天井部１０Ｔの裏側に、円周上に所定間隔をあけた位置から下方に垂下した複数本（図では４本）の毒餌剤収納支柱１０Ｆによって実現される。
さらに、天井部１０Ｔの裏側の矩形状の四隅には、それぞれ係合ピン１０Ｐ（図１では１本しか見えないが、図５では４本見られる。）が立設されている。
以下、毒餌剤収納支柱１０Ｆと係合ピン１０Ｐについて説明する。
【００１４】
《毒餌剤収納部１０Ｈ》  
図５は天井部１０Ｔの裏側に形成された毒餌剤収納部１０Ｈを説明する斜視図である。
蓋部１０の天井部１０Ｔの裏側の中央近傍に中央部を空けて円周上の４箇所に短尺薄板状をした毒餌剤収納支柱１０Ｆが立設されている。これら４本の毒餌剤収納支柱１０Ｆで囲われる中央空間に、固形状（打錠状、圧縮状など）や半固形状（練り物状、ペースト状、ジェル状、おだんご状など）の毒餌剤Ｆを押し込めることで、固形状や半固形状の毒餌剤Ｆが４本の毒餌剤収納支柱１０Ｆに絡みついて毒餌剤収納支柱１０Ｆで確実に挟持される。
【００１５】
《係合ピン１０Ｐ》  
係合ピン１０Ｐ（図１（Ｂ）、図５）は天井部１０Ｔの裏側四隅に形成されており、それ自体細長い円柱状部材をしており、挿入し易くするために先端に向けて若干径が細くなるテーパが形成されている。係合ピン１０Ｐは底板部２０（図２）の四隅に立設された脚柱２０Ｗの中に設けられた係止孔２０Ｐ（図２（Ｂ））にそれぞれ挿入されることで、蓋部１０と底板部２０とが係合し、一体化して、毒餌剤容器３０が完成する。
【００１６】
〈側壁部１０Ｓ〉  
側壁部１０Ｓは矩形状の天井部１０Ｔ（図１（Ａ））の各辺からそれぞれ下方に延びており、蓋部１０が底板部２０と結合したとき、側壁部１０Ｓは底板部２０と接触して、天井部１０Ｔと底板部２０とが一体化状態となる。
対向する１対の側壁にはそれぞれ大きな開口１０Ｄがあけられている。
【００１７】
《開口１０Ｄ》
開口１０Ｄは側壁部１０Ｓの上方を一部残して、側壁部１０Ｓのその他は下まですべて除去された開口となっている。蓋部１０が底板部２０と結合したとき、側壁部１０Ｓの開口１０Ｄと底板部２０とでゴキブリなどの出入り口３０Ｄが形成される。開口１０Ｄの大きさは大型のゴキブリなどが十分進入できる大きさとしている。
【００１８】
〈底板部２０〉  
次に、底板部２０を図２に基づいて説明する。
図２（Ａ）は本発明の実施形態１に係る毒餌剤収納容器を構成する底板部の外側の斜視図であり、図２（Ｂ）は図２（Ａ）の底板部をひっくり返したときの底板部の内側の斜視図である。
底板部２０（図２）は蓋部１０（図１）で被われるプラスチック成型部材であり、平面視で矩形状をした平坦な基板２０Ｂである。
基板２０Ｂには、（１）基板２０Ｂの四隅に立設された脚柱２０Ｗと、（２）基板２０Ｂの脚柱２０Ｗの内側に３６０度に亘って連続して形成された土手状物２０Ｄと、（３）土手状物２０Ｄの外側の脚柱２０Ｗとのスペースに水抜き孔２０Ｈがそれぞれ形成されているのが特徴である。以下に、これらの脚柱２０Ｗと土手状物２０Ｄと水抜き孔２０Ｈについて説明する。
【００１９】
《脚柱２０Ｗ》  
脚柱２０Ｗは、底板部２０の四隅にそれぞれ立設されているやや先細りをした円柱状物である。脚柱２０Ｗの中には、上方から蓋部１０（図１）の係合ピン１０Ｐが挿入されることができるように、上方から下方の内部に向けて軸方向中心に係止孔２０Ｐ（図８（Ｃ））が形成されている。この係止孔２０Ｐに蓋部１０（図１）の係合ピン１０Ｐが挿入されることで、蓋部１０と底板部２０とが係合し、一体化して、毒餌剤容器３０が完成する。
【００２０】
《土手状物２０Ｄ》  
土手状物２０Ｄは雨水が底板部２０の中央の毒餌剤収納部１０Ｈの下方に浸入するのを阻止するため、基板２０Ｂの脚柱２０Ｗの内側に全周（３６０度）に亘って囲われた堤防である。土手状物２０Ｄは矩形状をした基板２０Ｂの各辺にそれぞれ平行に形成されて全体で矩形状に連なった堤防となっている。
土手状物２０Ｄは、ゴキブリなどが乗り越え易いように奥に進むにつれて登り坂となるテーパが形成されている。
土手状物２０Ｄは、外部からの雨水浸入防止の他に、毒餌剤収納部１０Ｈに収容された毒餌剤Ｆ（図５）をゴキブリなどが食べ落とした毒餌剤を受ける受け皿となり、脱落した毒餌剤が容器の外へ拡散して、乳幼児が手にするのを防止する役目も兼ね備えている。
また雨水の浸入を防止するので黴の発生を抑えることができる。
【００２１】
《水抜き孔２０Ｈ》  
水抜き孔２０Ｈは、脚柱２０Ｗの近傍の土手状物２０Ｄの外側を一部欠砕して底板部２０の上から下方に貫通するように形成された孔である。これにより、外部から浸入してきた多量の雨水は多くが水抜き孔２０Ｈから容器の下方に流れてしまい、土手状物２０Ｄを乗り越えるには至らなくなる。
水抜き孔２０Ｈは、ここでは土手状物２０Ｄの外側を一部欠砕して形成しているが、これに限定されるものではなく、土手状物２０Ｄの外側の底板部２０であれば、どこに孔が形成されてもよい。
【００２２】
〈屋外用毒餌剤収納容器の組立と使用法〉  
以上説明した蓋部１０と底板部２０とを結合させると本発明に係る屋外用毒餌剤容器３０が完成する。以下に、蓋部１０と底板部２０の結合について図３および図４を用いて説明する。
図３は本発明に係る毒餌剤収納容器を分解して上側から見た斜視図で、図３（Ａ）は蓋部、図３（Ｂ）は底板部、図３（Ｃ）は毒餌剤収納容器であり、図４は図３（Ｃ）の毒餌剤収納容器を裏返しにして分解して上側から見た斜視図で、図４（Ａ）は底板部、図４（Ｂ）は蓋部、図４（Ｃ）は底板部側から見た毒餌剤収納容器である。
（１）まず、蓋部１０（図３（Ａ）および図４（Ｂ））の毒餌剤収納部１０Ｈを構成する４箇所の毒餌剤収納支柱１０Ｆ（図４（Ｂ））の間に固形状又は半固形状の毒餌剤を収納する（図５参照）。
（２）次いで、蓋部１０の係合ピン１０Ｐ（図４（Ｂ））を、底板部２０の脚柱２０Ｗ（図３（Ｂ））の係止孔２０Ｐに挿入する。
（３）これにより、蓋部１０と底板部２０が結合し、毒餌剤収納容器３０（図３（Ｃ）および図４（Ｃ））が完成する。完成した毒餌剤収納容器３０には、蓋部１０にある開口１０Ｄの下部が底板部２０で塞がれて、ゴキブリなどの出入り口３０Ｄがそれぞれ対向面に形成される。
（４）この毒餌剤収納容器３０をゴキブリなどの通過する壁面（ゴキブリは壁面に沿って進む癖がある。）に、両矢先マーク１０Ｍの指す方向が壁面に平行になるように置けばよい。
【００２３】
〈容器の各構成部材の寸法〉  
ゴキブリなどの出入り口３０Ｄの大きさは、例えば、チャバネゴキブリような小型のゴキブリからワモンゴキブリやクロゴキブリの大型のゴキブリまで進入できる大きさとしている。
土手状物２０Ｄの高さは小型のゴキブリが乗り越えて中央で毒餌剤Ｆを食し、大型のゴキブリは土手状物２０Ｄに前足を掛けたまま毒餌剤Ｆを食することができる高さが望ましい。
容器の大きさは特に限定されないが、高さが５〜３０ｍｍ、幅が５〜５０ｍｍ、長さが１０〜１００ｍｍのものが推奨される。
また、容器の材質は、ポリエチレン、ポリプロピレン、ポリスチレン、ポリエステル、ポリカーボネートなどのプラスチック樹脂が射出成形やプレス成形により成形される。
なお、側壁部は蓋部に繋げて設けているが、蓋部側にある必要はなく、底板部に繋げて設けるようにしてもよい。そうすると、蓋部は天井部だけになり、天井部に毒餌剤を収容する作業の作業性が向上する。
【００２４】
〈毒餌剤Ｆの形状〉
本発明で用いられる毒餌剤Ｆは、固形状（打錠状、圧縮状など）や半固形状（練り物状、ペースト状、ジェル状、おだんご状など）をしているのが特徴である。本発明に係る容器は外で用いられるため天井の裏側に設ける必要があるが、粉末や液体を天井に収容するためには専用の容器を必要とし、コストを伴うばかりか、その容器に収容された状態の粉末や液体をゴキブリなどが下方から食することは困難なことである。
そこで考えたのが、固形状又は半固形状とすることにより天井裏側にくっつけることができるので、専用の容器を必要としなく、しかも、ゴキブリなどが下方から食べ易くなる。
【００２５】
〈毒餌剤Ｆの成分〉
本発明で用いられる毒餌剤は、殺虫成分と誘引剤などを配合している。
《殺虫成分》
殺虫成分としては、例えば、フェノトリン、シフェノトリン、ペルメトリン、トランスフルトリン、エトフェンプロックスなどのピレスロイド系殺虫剤、フェニトロチオン、マラチオンなどの有機リン系殺虫剤、プロポクスル、カルバリルなどのカーバメイト系殺虫剤、ホウ酸、ヒドラメチルノン、フィプロニル、シラフルオフェン、ピリプロキシフェンなどが挙げられる。
《誘引剤》
誘引剤としては、例えば、さつまいも、コーンスターチなどの澱粉類、チーズ、ハチミツなどの公知の食餌物質や、炭素数４ないし１０のアルデヒド、ケトン、エステル類や食品フレーバーなどが挙げられるが、もちろんこれらに限定されるものではない。
【００２６】
〈まとめ〉
このようにして得られた本発明の実施形態１に係る屋外用毒餌剤収納容器は、屋外に設置して使用するものであり、それがために雨水や散水にさらされることが想定される。
したがって、これらを次の（１）〜（５）の対応で解決している。
（１）雨水が容器内部に浸入しても、毒餌剤を容器内部の天井に配置することで、毒餌剤を浸水から守るようにした。
（２）毒餌剤を容器内部の天井に配置し易くするため、毒餌剤収納部はリブ状の複数の毒餌剤収納支柱としてその間に挟み込むようにし、したがって毒餌剤も挟みやすいように固形状又は半固形状にした。
（３）ゴキブリなどが食べこぼした毒餌剤の受け皿となるように容器内部の底板部に全周（３６０度）に亘って延びる土手状物を設けて皿状にした。したがって、また、雨水が容器内部に浸入しても土手状物によって雨水の浸入が防止されるので、食べこぼした毒餌剤が雨水に浸かってカビが発生することを防止する。
（４）その土手状物にテーパ（スロープ）を設けてゴキブリなどの足場とし、容器の天井に配置した毒餌剤をゴキブリなどが食べ易くした。
（５）容器内への浸水を水抜き孔から排水することで、受け皿内への浸水を防いでいる。
【００２７】
〈本発明の実施形態２に係る屋外用毒餌剤収納容器〉  
図６〜図８は本発明の実施形態２に係る屋外用毒餌剤収納容器の図面である。
図６（Ａ）は底板部の斜視図、図６（Ｂ）は毒餌剤支持支柱を通る縦断面図である。
本発明の実施形態２に係る屋外用毒餌剤収納容器は、底板部２０に毒餌剤支持支柱２０Ｆを立設したのが特徴である。
【００２８】
〈毒餌剤支持支柱２０Ｆ〉
毒餌剤支持支柱２０Ｆは柱状部材であり、その高さは、複数本の毒餌剤収納支柱１０Ｆ（図６（Ｂ））の間に挟み込まれた固形状又は半固形状の毒餌剤Ｆの中央下部を、柱状部材の先端で支えることができる高さとしている。
図７（Ｂ）および図７（Ｃ）において、毒餌剤支持支柱２０Ｆが底板部２０と同じ材料で底板部２０から立設されているのが分かる。また、毒餌剤支持支柱２０Ｆは２本の毒餌剤収納支柱１０Ｆの間の中央下部に位置しているのが分かる。
したがって、蓋部１０と底板部２０が結合したとき複数本の毒餌剤収納支柱１０Ｆ（図６（Ｂ））の間に挟み込まれた半固形状の毒餌剤Ｆは、その中央下部を毒餌剤支持支柱２０Ｆの先端で支えられるので、毒餌剤Ｆが落下し難くなる。
【００２９】
〈図７の説明〉
実施形態１と実施形態２の相違点は、毒餌剤支持支柱２０Ｆの有無であり、その他の点では共通している。そこで、屋外用毒餌剤収納容器の内部について毒餌剤支持支柱２０Ｆ以外は同じであるので、実施形態２の図面である図７および図８を用いて、屋外用毒餌剤収納容器の内部構造について説明する。
図７（Ａ）は毒餌剤収納容器の平面図、図７（Ｂ）は図７（Ａ）のＡ−Ａ矢視断面図、図７（Ｃ）は図７（Ａ）のＤ−Ｄ矢視断面図である。
図７において、天井部１０Ｔは中央部がやや凸となる緩やかな湾曲面の平面視で矩形状をしている（なお、天井部の中央の窪みは射出成形時のゲート跡である。）。天井部１０Ｔの表側にゴキブリなどの出入り口方向を示す矢先マーク１０Ｍが凸成形されている。
天井部１０Ｔの裏側中央には、毒餌剤収納支柱１０Ｆが複数本垂下されている。
底板部２０には、ゴキブリなどが乗り越え易いように奥に進みにつれて登り坂となるテーパが形成された土手状物２０Ｄが形成されている。
そして、側壁部１０Ｓの開口１０Ｄと底板部２０とでゴキブリなどの出入り口３０Ｄが形成されている。
【００３０】
〈図８の説明〉
図８（Ａ）は図７（Ａ）のＢ−Ｂ矢視断面図、図８（Ｂ）は図７（Ａ）のＣ−Ｃ矢視断面図、図８（Ｃ）は図８（Ｂ）の楕円部Ｃの拡大図である。
係合ピン１０Ｐが天井部１０Ｔの裏側の隅に立設されている。係合ピン１０Ｐは、細長い円柱状部材で、挿入し易くするために先端に向けて若干径が細くなるテーパが形成されている。
脚柱２０Ｗは、底板部２０の隅に立設されているやや先細りをした円柱状物で、中に上方から下方の内部に向けて軸方向中心に係止孔２０Ｐが形成されている。
天井部１０Ｔの係合ピン１０Ｐが、底板部２０隅に立設された脚柱２０Ｗの係止孔２０Ｐ（図８（Ｃ））に挿入されることで、蓋部１０と底板部２０とが係合し、一体化して、毒餌剤容器３０が完成する。
また、水抜き孔２０Ｈ（図８（Ｂ））が土手状物２０Ｄの外側の脚柱２０Ｗとのスペースに形成されている。
以上、本発明の態様について主にゴキブリを対象として詳述したが、本発明の屋外用毒餌剤容器は、ゴキブリ以外の屋外に生息する匍匐害虫を駆除するためにも用いることができる。例えば、ムカデ、ダンゴムシ、ワラジムシ、アリなどを対象としうるものであり、容器の各構成部材の寸法や毒餌剤の成分は、適宜、選択して用いることが可能である。
【符号の説明】
【００３１】
１０：蓋部
１０Ｄ：開口
１０Ｆ：毒餌剤収納支柱
１０Ｈ：毒餌剤収納部
１０Ｍ：矢先マーク
１０Ｐ：係合ピン
１０Ｓ：側壁部
１０Ｔ：天井部
２０：底板部
２０Ｂ：基板
２０Ｄ：土手状物
２０Ｆ：毒餌剤支持支柱
２０Ｈ：水抜き孔
２０Ｐ：係止孔
２０Ｗ：脚柱
３０：屋外用毒餌剤容器
３０Ｄ：出入り口
Ｆ：ゴキブリ用毒餌剤
【図１】
2014113134.tif 000003
【図２】
2014113134.tif 000004
【図３】
2014113134.tif 000005
【図４】
2014113134.tif 000006
【図５】
2014113134.tif 000007
【図６】
2014113134.tif 000008
【図７】
2014113134.tif 000009
【図８】
2014113134.tif 000010